(57)【要約】【課題】  比較的重いコップ等を老人や力の弱い人が安全に把持して飲水ができる簡便，安価なコップ安全把持具を提供する。【解決手段】  コップ２の外面には親指の挿入される親指用弾性リング部材１ａとこれとほぼ相対向する位置に中指用弾性リング部材１ｂ及び薬指用弾性リング部材１ｃが固着される。この各弾性リング部材１に夫々の指を挿入することによりコップ２は安全に把持されて持ち上げられる。【選択図】  図１
0003130974.tif 000002
【実用新案登録請求の範囲】
【請求項１】
コップの外面に固着又は圧接して配置され、親指と親指を除く他の指の少なくとも２本の指が着脱可能に挿通される貫通孔を有する弾性リング部材を有し、該弾性リング部材は親指用弾性リング部材と他の指用弾性リング部材とからなり、これ等の部材は前記コップまわりにほぼ相対向して配置されることを特徴とするコップ安全把持具。
【請求項２】
前記弾性リング部材が、別体のものからなり、前記コップの外面に着脱可能に固着されるものからなることを特徴とする請求項１に記載のコップ安全把持具。
【請求項３】
前記弾性リング部材が、前記コップの底面に当接してこれを支持するコップ支持具にその基端側を枢支されバネ部材によって内側に向かって押圧されるアーム部材に固定されるものからなることを特徴とする請求項１に記載のコップ安全把持具。
【請求項４】
前記アーム部材の先端には、前記コップの外面に円周方向に沿って係着する半リング部材が固定されることを特徴とする請求項３に記載のコップ安全把持具。
【請求項５】
前記コップ支持具には、蓋体が着脱可能に冠着され、前記アーム部材及び弾性リング部材を前記コップ支持具内に収納することを特徴とする請求項３に記載のコップ安全把持具。
【請求項６】
前記弾性リング部材が、前記コップの全国に巻回固定されるプレート上に配置されることを特徴とする請求項１に記載のコップ安全把持具。
【考案の詳細な説明】
【技術分野】
【０００１】
本考案は、老人や力の弱い人が飲用水等の入っている比較的重いコップを持ち上げて飲水する際に前記コップを安全に把持して落下を防止して安全を確保するための簡便構造のコップ安全把持具に関する。
【背景の技術】
【０００２】
日常生活においてコップに飲用水等を注入して飲水することはしばしば行われている。この場合、一般にコップはガラスや陶器等で出来ている場合も多く、比較的強い力で把持しないと滑り落ちする場合が生ずる。そのため、思わぬ危険が発生し、場合により大きな「ケガ」をする場合もある。特に、老人は把持力が弱く、また、老人でなくとも把持力の弱い人の場合、コップの確実把持ができない場合が多い。この問題点を解決する従来技術としては例えば、「特許文献１」や「特許文献２」が挙げられる。
【特許文献１】特開２００２−２７４５２２号（図１）
【特許文献２】実開平７−２４２１号（図２）
【考案の開示】
【考案が解決しようとする課題】
【０００３】
「特許文献１」の「特開２００２−２７４５２２号」の「安全カップ及び安全カップの製造方法」は安全カップコップ（１０）の周壁（１１）に突起（１５）を設け、この突起（１５）に指を掛けて安全カップコップ（１０）を安全に保持するものである。しかしながら、この突起（１５）は単なるリング状のものであり、指が挿入される構造ではなく、把持の確実化を図ることができない問題点がある。  一方、「引用文献２」の「実開平７−２４２１号」の「手の滑り止め具」は、シート部（１３）にリング部（２），（２′）を固定し、その図２に示すようにこのリング部（２），（２′）に指を挿入し、シート部（３）を被回転体に接触せしめて滑り止めをしながら前記被回転物の開放や閉止を行うようにしたものです。
しかしながら、この「特許文献２」はコップ等の安全把持に関するものではなく、リング部（２），（２′）の構造においては本考案に似ている点もあるが、本考案とは目的や構成及び効果が相異し、これ等から本考案が容易に創案することができない。
【０００４】
本考案は、以上の事情に鑑みて考案されたものであり、老人や力の弱い人でも飲用水等の入っている重いコップを安全に把持でき、かつ持運びも簡単で、比較的安価に実施できるコップ安全把持具を提供することを目的とする。
【課題を解決するための手段】
【０００５】
本考案は、以上の目的を達成するために、請求項１の考案は、コップの外面に固着又は圧接して配置され、親指と親指を除く他の指の少なくとも２本の指が着脱可能に挿通される貫通孔を有する弾性リング部材を有し、該弾性リング部材は親指用弾性リング部材と他の指用弾性リング部材とからなり、これ等の部材は前記コップまわりにほぼ相対向して配置されることを特徴とする。
【０００６】
また、請求項２の考案は、前記弾性リング部材が、別体のものからなり、前記コップの外面に着脱可能に固着されるものからなることを特徴とする。
【０００７】
また、請求項３の考案は、前記弾性リング部材が、前記コップの底面に当接してこれを支持するコップ支持具にその基端側を枢支されバネ部材によって内側に向かって押圧されるアーム部材に固定されるものからなることを特徴とする。
【０００８】
また、請求項４の考案は、前記アーム部材の先端には、前記コップの外面に円周方向に沿って係着する半リング部材が固定されることを特徴とする。
【０００９】
また、請求項５の考案は、前記コップ支持具には、蓋体が着脱可能に冠着され、前記アーム部材及び弾性リング部材を前記コップ支持具内に収納することを特徴とする。
【００１０】
また、請求項６の考案は、前記弾性リング部材が、前記コップの全国に巻回固定されるプレート上に配置されることを特徴とする。
【考案の効果】
【００１１】
本考案の請求項１のコップ安全把持具によれば、コップの外周に親指の入る弾性リング部材とそのほかの指の内少なくとも２本の挿入される弾性リング部材をほぼ相対向した位置においてコップの外面に固着又は圧接することにより、前記弾性リング部材に挿入された各指によってコップは安定把持される。
【００１２】
また、請求項２のコップ安全把持具によれば、弾性リング部材はコップそのものに一体的に形成されるものではなく、別体のため、必要時においてコップに装着することができる。また、別体のもののため、安価に実施できる。
【００１３】
また、請求項３のコップ安全把持具によれば、コップはコップ支持具により安定保持され、このコップ支持具に弾性リング部材が取り付けられ、この弾性リング部材は内側に向かって押圧される構造からなるためコップは弾性リング部材に指を挿入することにより安全に把持される。
【００１４】
また、請求項４のコップ安全把持具によれば、半リング部材を設けることにより確実な把持が可能になる。
【００１５】
また、請求項５のコップ安全把持具によれば、コップ支持具は蓋体により閉止される構造からなり、弾性リング部材等をコップ支持具内に収納でき、この状態で持ち運びすることができ、便利であり、取扱性の向上が図れる。
【００１６】
また、請求項６のコップ安全把持具によれば、コップに巻回されて固定されるプレートに弾性リング部材を設けることにより安全、かつ確実な把持ができる。
【考案を実施するための最良の形態】
【００１７】
以下、本考案のコップ安全把持具の実施の形態を図面を参照して詳述する。
【実施例１】
【００１８】
図１に示すように、水３が入っているコップ２の外周には弾性リング部材１が固着されている。この弾性リング部材１は親指用弾性リング部材１ａと、例えば、中指用弾性リング部材１ｂ及び薬指用弾性リング部材１ｃとからなる。勿論、中指用弾性リング部材１ｂや薬指用弾性リング部材１ｃでなくともよいが、少なくとも２本の指の入るものがコップ２の安全把持上必要である。
この親指用弾性リング部材１ａと中指用弾性リング部材１ｂ及び薬指用弾性リング部材１ｃとは図１及び図２に示すようにほぼ相対向する位置に配設される。なお、図１では親指用弾性リング部材１ａと中指用弾性リング部材１ｂ及び薬指用弾性リング部材１ｃとは同一形状のものからなるが、各指に合った別々の形状のものでもよい。
【００１９】
この親指用弾性リング部材１ａ等はゴム又は合成樹脂製のものが望ましく、中空貫通孔４を有するリング状のものからなる。この中空貫通孔４内に親指５や中指６及び薬指７が図２に示すように挿入される。また、これ等の親指用弾性リング部材１ａ等は接着用シート８によってコップ２の外周に固着される。また、図１では中指用弾性リング部材１ｂと薬指用弾性リング部材１ｃは夫々別々のものからなるがこれ等を一体化したものでもよい。
【００２０】
水３の入ったコップ２を把持するには、図２に示すように親指用弾性リング部材１ａに親指５を入れ、中指用弾性リング部材１ｂに中指６を入れ、薬指用弾性リング部材１ｃに薬指７を入れることにより行われる。これにより、コップ２は３本の指により把持された状態となり、確実に、かつ安定した状態で把持される。この方法により老人や力の弱い人でも水３の入った重いコップ２を持ち上げて飲水することが容易にできる。
【００２１】
図３は図１及び図２に示された弾性リング部材１の形状を示す斜視図である。図３（ａ）は親指用弾性リング部材１ａを示し、図３（ｂ）は中指用弾性リング部材１ｂと薬指用弾性リング部材１ｃとを一体的に形成した形態のものを示す。なお、図示のように接着用シート８が配設される。
【実施例２】
【００２２】
図１乃至図３に示した弾性リング部材１は前記のようにコップ２に直接固着するものであるが、仮りに接着用シート８の接着力が低下した場合に弾性用リング部材１がコップ２から離れる場合が生ずる。
実施例２はその問題点を解決する形態のものを示す。このコップ安全把持具１００は、コップ支持具９と、アーム部材１０と、スプリング１１及び弾性リング部材１等とからなる。
【００２３】
コップ支持具９は図示のように、コップ２の底面２ａに当接する支持面９ａとこの支持面９ａの周縁に立ち上り形成される縁部９ｂとからなり、縁部９ｂの内面の内径はコップ２の底面２ａの外径よりも大きいものからなる。
アーム部材１０は、本実施例では基端側をコップ支持具９の縁部９ｂの立ち上り端に枢支される棒体状のものからなり、その中間部には弾性用リング部材１が固着されている。
一方、アーム部材１０とコップ支持具９との間にはスプリング１１が架設され、このスプリング１１はアーム部材１０を内側に押圧するように付勢する形態のものからなる。
【００２４】
以上の形態により、コップ２をコップ支持具９に支持させるアーム部材１０に固着している夫々弾性用リング部材１がスプリング１１のバネ力によりコップ２の外周に圧接される。従って、夫々弾性用リング部材１に指を挿入することによってコップ２は指とコップ支持具９とによって図１に示したものよりも安全、かつ確実に支持されることになる。
【００２５】
図５は図１に示したコップ安全把持具１００の不使用時の形態を示す。まず、アーム部材１０を内側に折り畳むことによりアーム部材１０とこれに固着されている弾性用リング部材１がコップ支持具９内に収納される。ここでコップ支持具９の開口部を蓋１２により閉止することによりアーム部材１０や弾性用リング部材１はコップ支持具９内に収納保持される。従って、コップ支持具９に蓋１２を冠着した状態でコップ安全把持具１００はコンパクトにまとめられ、持ち運び容易のものとなる。
【実施例３】
【００２６】
図６は実施例３を示すものである。このものは基本的には図４，図５に示したものとほぼ同一の形態のものからなるが、図６（ａ），（ｂ），（ｃ）に示すように、このものはアーム部材１０の先端に半リング部材１３を設けたものである。この半リング部材１３は図（ｃ）に示すようにコップ２の外周の一部を把持するものであり図４等に示したものより確実なコップ２の把持ができる。
【実施例４】
【００２７】
図７（ａ），（ｂ）は実施例４のコップ安全把持具１００を示す。このものはプレート１４とこの表面に固着されている弾性用リング部材１とからなる。このプレート１４は図７（ｂ）に示すようにコップ２の外面に巻回されて固定され、プレート１４は止め金１５によってコップ２の外面にキック巻回される。このため接着用シート８等を用いることなく適用され、より安定したコップ把持ができる。
【００２８】
本考案のコップ安全把持具は以上の構造からなるが、勿論これに限定するものではない。同一技術的範疇のものが適用されることは勿論である。
【産業上の利用可能性】
【００２９】
本考案のコップ安全把持具は、各種のコップの安全支持に適用されるが、必ずしもコップに限定するものではなく、老人が力の弱い人達の使用するその他の容器にも適用され、その利用範囲は広い。
【図面の簡単な説明】
【００３０】
【図１】本考案のコップ安全把持具の一実施例を示す軸断面図。
【図２】図１のコップ安全把持具の使用方法を示す模式図。
【図３】弾性リング部材を示す模式的斜視図。
【図４】第２の実施例を示す軸断面図。
【図５】図４に示した弾性リング部材等の蓋の冠着による収納状態を示す断面図。
【図６】本考案の他の実施例を示す模式的斜視図（ａ），（ｂ）はＡ矢視図，（ｃ）は（ｂ）の上面図。
【図７】コップの外面に巻回固定されるプレートに弾性用リング部材を設けた実施例を示す模式的斜視図（ａ）、（ｂ）はその使用状態の形態を示す断面図。
【符号の説明】
【００３１】
１      弾性リング部材
１ａ    親指用弾性リング部材
１ｂ    中指用弾性リング部材
１ｃ    薬指用弾性リング部材
２      コップ
２ａ    底面
３      水
４      中空貫通孔
５      親指
６      中指
７      薬指
８      接着用シート
９      コップ支持具
９ａ    支持面
９ｂ    縁部
１０    アーム部材
１１    スプリング
１２    蓋
１３    半リング部材
１４    プレート
１５    止め金
１００  コップ安全把持具
【図１】
0003130974.tif 000003
【図２】
0003130974.tif 000004
【図３】
0003130974.tif 000005
【図４】
0003130974.tif 000006
【図５】
0003130974.tif 000007
【図６】
0003130974.tif 000008
【図７】
0003130974.tif 000009